(57)【要約】【課題】  複数の電算機が設置された室内において、電算機の負荷状態に応じた空調制御を行うことにより省エネルギー化を図ることが可能な空調制御装置を提供する。【解決手段】  空調制御対象の室内に設置された電算機に供給される電流値を取得する電流値取得手段と、電流値取得手段により取得した電流値が高くなると、空調制御対象の室内に供給する空気を冷水量の増減により所望の温度に冷却する冷水コイルに供給する冷水量を調整するための冷水バルブの開度が上がるように制御する冷水バルブ開度制御手段とを備えることを特徴とする。【選択図】  図１
2009162412.tif 000002
【特許請求の範囲】
【請求項１】
空調制御対象の室内に設置された電算機に供給される電流値を取得する電流値取得手段と、
前記電流値取得手段により取得した電流値が高くなるにつれて、前記空調制御対象の室内に供給する空気を冷水量の増減により所望の温度に冷却する冷水コイルに供給する冷水量を調整するための冷水バルブの開度が上がるように制御する冷水バルブ開度制御手段と、
を備えることを特徴とする空調制御装置。
【請求項２】
空調制御対象の室内に設置された電算機に供給される一定時間間隔の電流値を所定期間分取得する電流値取得手段と、
前記電流値取得手段により取得した所定期間分の前記電流値から、前記電流値が高くなる時間帯およびその時間帯における電流値をスケジュール情報として生成して記憶するスケジュール情報記憶手段と、
前記スケジュール情報記憶手段により記憶したスケジュール情報により、前記電流値が高くなる時間帯の所定時間前になると、前記電流値が高くなる時間帯における電流値に応じて、前記空調制御対象の室内に供給する空気を冷水量の増減により所望の温度に冷却する冷水コイルに供給する冷水量を調整するための冷水バルブの開度を上げ、前記電流値が低くなる時間帯の所定時間前になると前記冷水バルブの開度を下げるように制御する冷水バルブ開度制御手段と、
を備えることを特徴とする空調制御装置。
【請求項３】
空調制御対象の室内に設置された電算機に供給される電流値を取得し、
取得した電流値が高くなるにつれて、前記空調制御対象の室内に供給する空気を冷水量の増減により所望の温度に冷却する冷水コイルに供給する冷水量を調整するための冷水バルブの開度が上がるように制御する
ことを特徴とする空調制御方法。
【請求項４】
空調制御対象の室内に設置された電算機に供給される一定時間間隔の電流値を所定期間分取得し、
取得した所定期間分の前記電流値から、前記電流値が高くなる時間帯およびその時間帯における電流値をスケジュール情報として生成して記憶し、
記憶したスケジュール情報により、前記電流値が高くなる時間帯の所定時間前になると、前記電流値が高くなる時間帯における電流値に応じて、前記空調制御対象の室内に供給する空気を冷水量の増減により所望の温度に冷却する冷水コイルに供給する冷水量を調整するための冷水バルブの開度を上げ、前記電流値が低くなる時間帯の所定時間前になると前記冷水バルブの開度を下げるように制御する
ことを特徴とする空調制御方法。
【発明の詳細な説明】
【技術分野】
【０００１】
本発明は、サーバ室や通信機室など複数の電算機が設置された室内の空調を制御する空調制御装置および空調制御方法に関する。
【背景技術】
【０００２】
従来、多数の電算機が設置されたサーバ室等では、電算機の可動による放熱を冷却するため、空調機の設定温度は低めに設定されている。
【０００３】
設定された温度に対する空調機の制御に関する技術として、特許文献１に記載の空調制御方法がある。
【０００４】
この空調制御方法では、複数台の空調機の相互作用や送風温度の上下限値により各空調機の送風温度の設定値が確定され、この設定値がＤＤＣにフィードバックされて冷水バルブの開度が制御される。
【特許文献１】特開昭６２−９１３６号公報
【発明の開示】
【発明が解決しようとする課題】
【０００５】
しかし、この従来の空調制御方法では空調制御対象の室内への空気の吹き出し口に設けられた給気温度センサで計測された温度に基づいてＤＤＣ（ダイレクトデジタルコントローラ）で冷水バルブの開度を調整して空調制御を行っているため、サーバ室のように多数の電算機が設置され、電算機の負荷が高いときと低いときで放熱量が異なる室内でもこれに無関係に空調制御が行われ、負荷が低いときに過剰冷房となりエネルギーのロスが発生するという問題があった。
【０００６】
また、電算機の負荷が高くなってから、室温が上がったことが検知され空調機の制御により室温が下げられるまでの応答に時間がかかり、電算機の発熱を適時に抑えることができないという問題があった。
【０００７】
よって本発明の目的は、複数の電算機が設置された室内において、電算機の負荷状態に応じた空調制御を行うことにより省エネルギー化を図ることが可能な空調制御装置および空調制御方法を提供することを目的とする。
【課題を解決するための手段】
【０００８】
上記目的を達成するための本発明の空調制御装置は、空調制御対象の室内に設置された電算機に供給される電流値を取得する電流値取得手段と、前記電流値取得手段により取得した電流値が高くなるにつれて、前記空調制御対象の室内に供給する空気を冷水量の増減により所望の温度に冷却する冷水コイルに供給する冷水量を調整するための冷水バルブの開度が上がるように制御する冷水バルブ開度制御手段とを備えることを特徴とする。
【０００９】
また、他の形態の空調制御装置は、空調制御対象の室内に設置された電算機に供給される一定時間間隔の電流値を所定期間分取得する電流値取得手段と、前記電流値取得手段により取得した所定期間分の前記電流値から、前記電流値が高くなる時間帯およびその時間帯における電流値をスケジュール情報として生成して記憶するスケジュール情報記憶手段と、前記スケジュール情報記憶手段により記憶したスケジュール情報により、前記電流値が高くなる時間帯の所定時間前になると、前記電流値が高くなる時間帯における電流値に応じて、前記空調制御対象の室内に供給する空気を冷水量の増減により所望の温度に冷却する冷水コイルに供給する冷水量を調整するための冷水バルブの開度を上げ、前記電流値が低くなる時間帯の所定時間前になると前記冷水バルブの開度を下げるように制御する冷水バルブ開度制御手段とを備えることを特徴とする。
【００１０】
また、本発明の空調制御方法は、空調制御対象の室内に設置された電算機に供給される電流値を取得し、取得した電流値が高くなるにつれて、前記空調制御対象の室内に供給する空気を冷水量の増減により所望の温度に冷却する冷水コイルに供給する冷水量を調整するための冷水バルブの開度が上がるように制御することを特徴とする。
【００１１】
また、本発明の他の空調制御方法は、空調制御対象の室内に設置された電算機に供給される一定時間間隔の電流値を所定期間分取得し、取得した所定期間分の前記電流値から、前記電流値が高くなる時間帯およびその時間帯における電流値をスケジュール情報として生成して記憶し、記憶したスケジュール情報により、前記電流値が高くなる時間帯の所定時間前になると、前記電流値が高くなる時間帯における電流値に応じて、前記空調制御対象の室内に供給する空気を冷水量の増減により所望の温度に冷却する冷水コイルに供給する冷水量を調整するための冷水バルブの開度を上げ、前記電流値が低くなる時間帯の所定時間前になると前記冷水バルブの開度を下げるように制御することを特徴とする。
【発明の効果】
【００１２】
本発明の空調制御装置および空調制御方法によれば、複数の電算機が設置された室内において、電算機の負荷状態に応じた空調制御を行うことにより省エネルギー化を図ることができる。
【発明を実施するための最良の形態】
【００１３】
《第１実施形態》
〈第１実施形態による空調制御システムの構成〉
本発明の第１実施形態による空調制御装置を利用した空調制御システム１の構成について、図１を参照して説明する。
【００１４】
本実施形態による空調制御システム１は、サーバ室１０に設置された複数の電算機１１と、動力盤２０に設置され電算機１１に供給する電流値を計測する電流計２１と、サーバ室１０の空調を制御する空調制御装置３０とで構成されている。
【００１５】
空調制御装置３０は、制御対象の室内に供給する空気を冷水量の増減により所望の温度に冷却する冷水コイル３１と、冷水コイル３１に供給する冷水の量を開度で調整する冷水バルブ３２と、冷水バルブ３２の開度を制御するＤＤＣ３３とを有する。
【００１６】
〈第１実施形態による空調制御システムの動作〉
本実施形態による空調制御システム１により空調制御が行われるときの空調制御装置３０の動作について、図２のフローチャートを参照して説明する。
【００１７】
まず、動力盤２０に設置された電流計２１により、空調制御対象のサーバ室１０内の電算機１１に供給される電流値が計測され、この電流値が空調制御装置３０のＤＤＣ３３で取得される（Ｓ１）。
【００１８】
ＤＤＣ３３で電流値が取得されると、この電流値に基づいて冷水バルブ３２の開度が制御される（Ｓ２）。
【００１９】
ＤＤＣ３３において冷水バルブ３２の開度が制御されるときの、取得された電流計２１の電流値と冷水バルブ３２の開度との関係を図３のグラフに示す。
【００２０】
図３に示すように、サーバ室１０内の電算機１１のＣＰＵ負荷が高くなり供給される電流値が高くなる程、冷水バルブ３２の開度が高くなり、給気温度が下げられる。
【００２１】
このように、図３のグラフに示す関係になるようにＤＤＣ３３により冷水バルブ３２の開度が制御されることにより、サーバ室１０に供給される空気の温度が制御される（Ｓ３）。
【００２２】
以上の第１実施形態の空調制御システムによれば、サーバ室内の電算機の負荷が高くなり発熱量が増えたときに冷水バルブの開度が上げられサーバ室への給気温度が下げられるため、電算機の負荷状態に応じた空調制御を行うことができ、また電算機の負荷が低いときに過剰冷房となることを避けることができるため、省エネルギー化を図ることができる。
【００２３】
《第２実施形態》
〈第２実施形態による空調制御システムの構成〉
本発明の第２実施形態による空調制御装置を利用した空調制御システム２の構成は、第１実施形態におけるの空調制御システム１の構成と同様であるため、詳細な説明は省略する。
【００２４】
〈第２実施形態による空調制御システムの動作〉
本実施形態による空調制御システム２により空調制御が行われるときの空調制御装置３０の動作について、図４のフローチャートを参照して説明する。
【００２５】
まず、動力盤２０に設置された電流計により、空調制御対象のサーバ室１０内の電算機１１に供給される電流値が計測され、空調制御装置３０のＤＤＣ３３においてこの電流値が一定時間間隔（たとえば５分間隔）で所定期間（例えば１週間）分取得される（Ｓ１１）。
【００２６】
ＤＤＣ３３で所定期間分の電流値が取得されると、１日の中でバッチ処理などによりＣＰＵ負荷が高くなることにより電流値が高くなる時間帯およびその時間帯における電流値が学習され、電算機負荷のスケジュール情報として生成して記憶される（Ｓ１２）。この電流値の取得時間間隔および取得期間は、電算機負荷のスケジュール情報が生成されるために十分な時間間隔、および取得期間を要するものとする。
【００２７】
ＤＤＣ３３に電算機負荷のスケジュール情報が記憶されると、このスケジュール情報によりＣＰＵ負荷が高くなると予測される時間の所定時間前（例えば１０分）に、図３のグラフに基づいてＣＰＵ負荷が高くなるときの電流値に対応して冷水バルブ３２の開度が上げられ（Ｓ１３）、給気温度が下げられる。この冷水バルブ３２の開度が上げられるタイミングは、電算機１１のＣＰＵ負荷が高くなると予測される時間よりも、冷水バルブ３２の開度が上げられてからサーバ室１０の電算機１１付近の温度が実際に下がるまでにかかる時間分程度、前に設定される。
【００２８】
ＤＤＣ３３において記憶された電算機負荷のスケジュール情報と、冷水バルブの開度の変化とを図５のグラフに示す。
【００２９】
図５に示すように、スケジュール情報によりサーバ室内の電算機１１のＣＰＵ負荷が高くなり供給される電流値が高くなると予測される時間帯になる所定時間前から冷水バルブ３２の開度が高くなるように制御され、電流値が低くなると予測される時間の所定時間前から冷水バルブ３２の開度が低くなるように制御され、サーバ室１０の供給される空気の温度が制御される（Ｓ１４）。
【００３０】
以上の第２実施形態の空調制御システムによれば、サーバ室内の電算機の負荷が高くなり発熱量が増える前に冷水バルブの開度が上げられサーバ室への給気温度が下げられ、また電算機の負荷が低くなり発熱量が減る前に冷水バルブの開度が下げられサーバ室への給気温度が上げられるため、電算機の負荷状況に追従してさらに適時に空調制御を行うことができるとともに省エネルギー化を図ることができる。
【図面の簡単な説明】
【００３１】
【図１】本発明の第１実施形態および第２実施形態による空調制御装置３０を利用した空調制御システム１、２の構成を示す全体図である。
【図２】本発明の第１実施形態による空調制御装置３０の動作を示すフローチャートである。
【図３】本発明の第１実施形態による空調制御装置３０のＤＤＣ３３において取得された電流計２１の電流値と冷水バルブ３２の開度との関係を示すグラフである。
【図４】本発明の第２実施形態による空調制御装置３０の動作を示すフローチャートである。
【図５】本発明の第２実施形態による空調制御装置３０で記憶されるスケジュール情報と冷水バルブ開度の変化の一例を示すグラフである。
【符号の説明】
【００３２】
１、２…空調制御システム
１０…サーバ室
１１…電算機
２０…動力盤
２１…電流計
３０…空調制御装置
３１…冷水コイル
３２…冷水バルブ
３３…ＤＤＣ
【図１】
2009162412.tif 000003
【図２】
2009162412.tif 000004
【図３】
2009162412.tif 000005
【図４】
2009162412.tif 000006
【図５】
2009162412.tif 000007